(57)【特許請求の範囲】
【請求項１】
エレベータの乗りかご内の状況を撮影するカメラと、前記乗りかご内の乗客に情報を表示する情報表示手段と、複数の情報の中から前記情報表示手段に表示する情報を乗客操作で選択するための情報選択手段と、前記情報表示手段に表示する情報を乗客操作で入力するための情報入力手段と、を備えた乗りかご内の画面表示装置であって、
前記情報表示手段と、前記情報選択手段と、前記情報入力手段とは、前記乗りかご内の同一側壁面に設置され、
前記情報選択手段と前記情報入力手段は選択的に使用可能なものであり、前記情報選択手段に対する乗客による選択操作又は前記情報入力手段に対する乗客による入力操作に伴って、前記情報表示手段が、前記カメラで撮影した前記乗りかご内の映像を所定時間だけ表示し、
前記情報入力手段は、特定の乗客を認証して情報の入力可を表示する入力可表示部と、手書き入力を可能とする入力手書き部と、を有し、前記情報の入力可とされた前記特定の乗客による前記入力手書き部への入力操作で情報が入力され、当該入力された情報が前記情報表示装置に所定タイミングで表示される
ことを特徴とする乗りかご内の画面表示装置。
【請求項２】
請求項１において、
前記特定の乗客を認証する認証装置をさらに備え、
前記認証装置を前記乗りかご内の同一側壁面に設置し、
前記認証装置を使用して正規に認証された場合に、認証許可を前記入力可表示部に表示する
ことを特徴とする乗りかご内の画面表示装置。
【請求項３】
請求項１または２において、
前記情報選択手段にはタッチパネルが設けられ、
前記情報表示手段に表示したい情報は、前記タッチパネルへの択一的接触によって選択される
ことを特徴とする乗りかご内の画面表示装置。
【発明の詳細な説明】
【技術分野】
【０００１】
本発明は、エレベータの乗りかご内に設けられる情報表示手段の表示内容を乗客が切替え可能及び／又は入力可能とする画面表示装置に関する。
【背景技術】
【０００２】
エレベータの乗りかごに乗って移動中の乗客を退屈させない目的で、或いは乗車時の気詰まり感や閉塞感を解消するなどの目的で、乗りかご内に画像や文字情報などの情報表示手段を設けることがある。情報表示手段に表示される情報の例としては、乗りかごの現在の階床位置や移動方向などのエレベータ制御情報のほかに、現在時刻、ニュース、天気予報、広告、安全上の注意事項などのメッセージと、広告映像、エレベータの乗り場映像、風景映像、などがある。
【０００３】
そして、従来、情報表示手段に表示される情報の内容をエレベータの乗客が選択ないし変更することを可能としたものが提案されている。例えば、特許文献１には、情報選択釦などを用いてモニター装置に表示される情報を乗客によって選択されることが開示されている。また、特許文献２には、人体検出センサーの信号の有無でモニター装置の画面を切替えることが開示されている。また、特許文献３には、対人的な犯罪の抑止効果を狙い、乗客の出入の際にかご内または各階乗り場に設置したモニタ装置にかご内映像を表示することが開示されている。
【先行技術文献】
【特許文献】
【０００４】
【特許文献１】特開２００１−２６１２４８号公報
【特許文献２】特開２００１−２３３５５６号公報
【特許文献３】特開平１１−３４９２４２号公報
【発明の概要】
【発明が解決しようとする課題】
【０００５】
上記の特許文献１と特許文献２に開示された技術は、乗客の有無や出入を検出してあるいは乗客の意志に基づいて情報表示手段に表示される情報の内容を複数の中から選択可能としたものであった。しかしながら、密閉空間となる乗りかご内に設けられた情報選択手段や情報表示手段は、昇降動作の安全上重要な装置ではないと乗客に認識されるため、イタズラの被害を受け損傷することが懸念されるのに、このような被害の防止策については何ら考慮されていなかった。
【０００６】
また、上記の特許文献３に示すように、乗りかご内に監視カメラを備える場合も、低年齢の子供などのイタズラに対しては必ずしも十分な抑止効果が得られていなかった。さらに、エレベータの乗客が情報を入力する機能を備えていなかったので、乗客は一方的に情報を受取るだけであった。
【０００７】
本発明の目的は、前述した従来技術における課題を解決するためになされたものであり、乗客の意思に応えて情報表示手段の表示内容を切替え可能及び／又は乗客による情報表示手段の表示内容を入力可能にするとともに、情報選択手段や情報表示手段又は情報入力手段が乗客からイタズラを受けることを抑止する乗りかご内の画面表示装置を提供することにある。
【課題を解決するための手段】
【０００８】
前記課題を解決するために、本発明は次のような構成を採用する。  
エレベータの乗りかご内の状況を撮影するカメラと、前記乗りかご内の乗客に情報を表示する情報表示手段と、複数の情報の中から前記情報表示手段に表示する情報を乗客操作で選択するための情報選択手段と、前記情報表示手段に表示する情報を乗客操作で入力するための情報入力手段と、を備えた乗りかご内の画面表示装置であって、前記情報表示手段と、前記情報選択手段と、前記情報入力手段とは、前記乗りかご内の同一側壁面に設置され、前記情報選択手段と前記情報入力手段は選択的に使用可能なものであり、前記情報選択手段に対する乗客による選択操作又は前記情報入力手段に対する乗客による入力操作に伴って、前記情報表示手段が、前記カメラで撮影した前記乗りかご内の映像を所定時間だけ表示し、前記情報入力手段は、特定の乗客を認証して情報の入力可を表示する入力可表示部と、手書き入力を可能とする入力手書き部と、を有し、前記情報の入力可とされた前記特定の乗客による前記入力手書き部への入力操作で情報が入力され、当該入力された情報が前記情報表示装置に所定タイミングで表示される構成とする。
【０００９】
前記乗りかご内の画面表示装置において、前記特定の乗客を認証する認証装置をさらに備え、前記認証装置を前記乗りかご内の同一側壁面に設置し、前記認証装置を使用して正規に認証された場合に、認証許可を前記入力可表示部に表示する構成とする。さらに、前記情報選択手段にはタッチパネルが設けられ、前記情報表示手段に表示したい情報は、前記タッチパネルへの択一的接触によって選択される構成とする。
【発明の効果】
【００１０】
本発明によれば、乗客の意思に応えて情報表示手段の表示内容を切替えること及び／又は乗客による表示内容を入力可能にするとともに、情報選択手段や情報表示手段や情報入力手段が乗客からイタズラを受けることを抑止することができる。
【図面の簡単な説明】
【００１１】
【図１】本発明の第１の実施形態に係る乗りかご内の画面表示装置とそれに関連するエレベータ制御装置の構成を示すブロック図である。
【図２】第１の実施形態に係る乗りかご内の画面表示装置の配置を示す斜視図である。
【図３】本発明の第２の実施形態に係る乗りかご内の画面表示装置とそれに関連するエレベータ制御装置の構成を示すブロック図である。
【図４】第２の実施形態に関する情報入力手段の構成図である。
【図５】第２の実施形態に係る乗りかご内の画面表示装置における情報切替の処理手順を示すフローチャートである。
【図６】第２の実施形態に係る乗りかご内の画面表示装置の配置の変形例を示す斜視図である。
【発明を実施するための形態】
【００１２】
本発明の第１の実施形態に係る乗りかご内の画面表示装置について、図１および図２を用いて以下説明する。図１と図２において、１は乗りかご、２は側板、３は情報表示手段、４は情報選択手段、５はカメラ、６はエレベータ制御装置、７は情報記憶手段、８は情報制御手段、１２はタッチパネル、１３はかご天井、１４は入力操作終了アイコン、をそれぞれ表す。
【００１３】
図１と図２を参照すると、エレベータ２０の乗りかご１内の側板２には、メッセージや映像などの情報を表示する情報表示手段３と、複数の情報の中から表示する情報を乗客が選択するためのタッチパネル１２を用いた情報選択手段４と、が取り付けられている。ここで、図２の図示例によると、情報選択手段４と情報表示手段３は、乗りかご１の開閉扉（図２の右側）からみて左側側面（同一の側面であれば可）の内面にいずれも取り付けられていて、情報選択手段４の操作者が情報表示手段３の表示画面をたやすく意識でき、操作者によるイタズラ抑止効果が期待される。また、側板２又は天井１３には、乗りかご１内の映像を撮影するカメラ５が取り付けられている。なお、本発明の第１の実施形態に係る乗りかご内の画面表示装置は、情報表示手段３と、情報選択手段４と、カメラ５とからなり、情報表示に関連する乗りかご内の各種手段からなるものを指称する。
【００１４】
昇降路又は機械室に設けられたエレベータ制御装置６は情報記憶手段７と情報制御手段８とを備えている。情報記憶手段７は、現在時刻、ニュース、天気予報、広告、安全上の注意事項などのメッセージデータと、広告画像、エレベータの乗り場映像、風景映像、などの映像データとを記憶する。
【００１５】
ここで、乗客が情報選択手段４のタッチパネル１２に指で触れることによって、例えば「天気予報」などの見たい（読みたい）メッセージや映像の項目を選択すると、情報制御手段８は、情報記憶手段７内にある項目のデータを選択して、情報表示手段３に送信させる。
【００１６】
乗りかご１内にいる乗客が、表示データを選ぶために情報選択手段４に対して選択操作を行ったとき、その操作に伴ってその操作の直後からエレベータ制御装置６が、情報選択している乗客を含む乗りかご１内の映像を情報表示手段３に所定時間だけ表示させる。この所定時間の表示によってイタズラの監視効果が期待できる。この所定時間は例えば１秒間、２秒間などの一定時間とする。
【００１７】
なお、この所定時間は、情報選択の操作の直後からタッチパネル１２上に出力されている入力操作終了アイコン１４に触れるまでなどの可変時間であっても良い。乗りかご１内の映像の表示領域は、情報表示手段３の画面全体を占有しても良いし、画面を複数個に分割した一区画を占有しても良い。情報表示手段３と情報選択手段４とは、好ましくは乗りかご１内の同一側板２の面上に併設して、情報選択操作中の乗客が情報表示手段３を見やすくし、情報表示手段３の表示によってイタズラ監視されていることを操作者が認識できるようにする。カメラ５は乗降扉のオンを検知して撮像可能とすればよい。
【００１８】
さらに、カメラ５は乗りかご１内の一般的な防犯用途を兼用できる。カメラ５は側板２に取り付ける代わりにかご天井１３に取り付けてもよい。情報表示手段３に表示される乗りかご１内映像は、生の映像を用いる。また、録画機能が装備されていると乗客に意識させるために、生映像に代えて数秒の時間遅れを伴う映像を再生表示しても良い。
【００１９】
このように、第１の実施形態によれば、乗客が自らの意思で情報表示手段３の表示内容を選択することを可能にするとともに、乗りかご１内の選択操作する乗客を含む映像を表示させることによって、情報表示手段３や情報選択手段４が乗客からイタズラを受けて破損することを抑止する効果がある。
【００２０】
次に、本発明の第２の実施形態に係る乗りかご内の画面表示装置について、図３、図４および図５を用いて以下説明する。図３〜図５において、９は認証装置、１０は情報入力手段、１０Ａは入力可表示灯、１０Ｂは手書き入力部、をそれぞれ表し、図１及び図２と同一の符号は同一の構成要素を表す。
【００２１】
図３〜図５を参照すると、エレベータ２０の乗りかご１内に、乗客に情報を表示する情報表示手段３と、複数の情報の中から表示する情報を乗客が選択するための情報選択手段４と、特定乗客を認証する認証装置９と、情報入力者が情報表示手段３への情報を入力するための情報入力手段１０と、を設置する。そして、これらの手段３，４，９，１０は、乗りかご１の同一側面の内面に取り付けられている。情報入力手段１０は、入力可表示灯１０Ａと手書き入力部１０Ｂを備えている。なお、本発明の第２の実施形態に係る乗りかご内の画面表示装置は、情報表示手段３と、情報選択手段４と、カメラ５と、認証装置９と、情報入力手段１０と、からなり、情報表示に関連する乗りかご内の各種手段、装置からなるものを指称する。
【００２２】
昇降路又は機械室に設けられたエレベータ制御装置６は、情報記憶手段７と、情報制御手段８と、認証された乗客の情報入力履歴を記録する履歴記録装置１１と、を備えている。情報制御手段８は、情報表示手段３、情報選択手段４、カメラ５、認証装置９、情報入力手段１０、履歴記録装置１１、情報記憶手段７との間でデータを送受信可能に配線されている。
【００２３】
次に、乗客が表示データを入力するときの制御の流れについて、図５を用いて説明する。乗客が認証装置９において認証動作を実行すると（特定の乗客は、認証によって情報入力手段に入力可能であり入力した情報を情報表示手段に表示できることが前提となっている）、情報制御手段８は、認証装置９から個人認証データ１５を受取り（ステップ１）（個人認証データとしては、例えば、当該エレベータの設置された建物に入居している入居者の氏名や戸番号、当該建物の管理人の氏名などが挙げられる）、正規に認証された場合は、その個人履歴データ１６を履歴記録装置１１に追記する（ステップ２）。
【００２４】
続いて、情報入力手段１０に表示データ１７の受付を許可し（ステップ３）、その旨を情報入力手段１０の入力可表示灯１０Ａの点灯によって表示する（ステップ４）。その後、乗客が表示データ１７の入力完了を入力操作終了アイコン１４を介して通知すると（ステップ５）、情報制御手段８は情報入力手段１０から表示データ１７を受取り（ステップ６）、表示データ１７を情報記憶手段７に記録する（ステップ７）。
【００２５】
表示データ１７を表示させる際には情報制御手段８が、情報記憶手段７に記録された単独または複数の表示データ１７を、所定のタイミングで情報表示手段３に送信して表示させる（ステップ８）。
【００２６】
ここで、確実な認証を実現するために、好ましくは建物の管理者及び入居者各戸に認証用のＩＣカード、磁気カード、またはその他のＲＦＩＤ（Ｒａｄｉｏ  Ｆｒｅｑｕｅｎｃｙ  Ｉｄｅｎｔｉｆｉｃａｔｉｏｎ）を配布しておき、それを読み取って識別する認証装置９を乗りかご１内に設ける。
【００２７】
なお、建物の管理人室にＩＣカードまたは磁気カードを備えて置き、情報入力を希望する人が入力作業時にＩＣカードまたは磁気カードを管理人から借用するという簡易的な認証装置を構成することも可能であり、その場合は入力操作者を確実に特定して記録することは困難であるが、情報入力権限の有無は判別できる。
【００２８】
また、認証装置９として、ＲＦＩＤに代えて指静脈による個人認証装置、あるいはその他の生体認証装置を用いることも可能である。その場合にはエレベータ２０を備えた建物内の他の場所にも生体認証装置を設けて共通の履歴記録装置１１を使用することによって、全体としてより安価なシステムを構成することができる。
【００２９】
カメラ５で撮影した画像を記録しておくことにより、情報入力者を事後に確認するという方法もある。なお、乗客が情報入力作業を実施中であっても、乗場呼びやかご呼びが発生した場合は、呼びに応じてエレベータ２０の昇降動作や扉開閉動作を情報入力作業と同時に実行させることができる。
【００３０】
以上のように、第２の実施形態によれば、乗客が乗りかご１内に表示したい情報（例えば、建物内の入居者に共通する連絡事項）を乗りかご１内で容易に入力することができるという効果がある。表示する情報の入力作業は、通常は乗りかご１の外の所定の場所（例えば、建物の管理人室、映像配信会社など）で行うことが想定されるが、乗りかご１内で入力できることで、乗客のより積極的な利用が促進される。
【００３１】
具体的に例示すると、エレベータを供えた集合住宅においては、エレベータ２０の乗りかご１には基準階（１階等）に入居する居住者を除くほとんどの居住者がほぼ毎日、少なくとも数十秒間以上は立ち止まるので、情報表示手段３を注視することが想定される。そのため、乗りかご１内の情報表示手段３を、その居住者及び管理人の共有掲示板として利用可能となる。集合住宅の自治会の集会日程、建物の工事日程などを掲示することが出来る。居住者及び管理人などの利便性が向上するという効果がある。保守作業のためにエレベータ２０を休止させるという事前連絡は、エレベータを頻繁に利用する乗客にとって特に重要であり、乗りかご１内に表示すると周知効果が大きくなる。また、認証を経ているので、有害なまたは不適切な情報を入力されることが抑止される。
【００３２】
以上説明した本発明の第２の実施形態は、情報表示手段の表示内容を決めるものとして、第１の実施形態における情報選択手段４に加えて、情報表示手段３に表示する表示内容を入力する情報入力手段１０を設けており、さらに、操作者によるイタズラ防止の抑止効果（情報表示手段３による表示によって）をほとんど完璧に果たすために、操作者に対する認証装置９を設けるものである。認証装置９によって認証許可を得た操作者のみが入力可能となるので、当該操作者がイタズラする可能性はほとんど無いと考えられる。ところが、認証許可される特定の乗客以外の乗客にとっては、各種手段３，４，１０へのイタズラの可能性があり得るので、情報表示手段３による表示によってイタズラ防止の抑止効果は機能するのである。
【００３３】
このことからすると、第２の実施形態の変形例としては、乗りかご内画面表示装置として、カメラ５、情報表示手段３、情報選択手段４及び情報入力手段１０を設ける構成を必須要件とするものが考えられる。この変形例によると、情報入力手段１０は、必ずしも認証装置９と１セットである必要はなく、単独に使用するものであってよい。情報入力手段１０は、情報選択手段４と選択的に使用可能なものであり、情報入力手段１０への入力操作に伴って情報表示手段３に所定時間だけカメラ５の撮影映像を表示することで、乗りかご内の種々手段へのイタズラ防止を抑止する効果が期待される。この抑止効果は、乗りかご１内の情報表示手段３、情報選択手段４及び情報入力手段１０を乗りかご１の同一側壁面に設置することで、乗客のイタズラを含めた操作状況が乗客の目の前の情報表示手段３に表示されることを以て一層促進される。この変形例に対して、認証装置９を付加して情報入力手段１０からのイタズラ入力を抑止したものが図３に示す第２の実施形態の特徴であると云える。
【００３４】
次に、本発明の第２の実施形態に係る乗りかご内の画面表示装置の他の変形例について、図６を用いて以下説明する。図３に示す第２の実施形態においては、情報表示手段３と情報選択手段４と情報入力手段１０とが乗りかご１内の同一の側板２上に設けられているものである。図６に示す他の変形例においては、情報表示手段３と情報選択手段４と情報入力手段１０と認証装置９が近接して配置される構成であり、この変形例によると、認証手続きや表示する情報の選択操作や入力操作が楽な姿勢で容易に実行できるという効果がある。
【００３５】
繰り返して本発明の実施形態の特徴を説明すると、乗客に情報を表示する情報表示手段と、複数の情報の中から表示する情報を乗客が選択するための情報選択手段と、情報入力者が情報表示手段に情報を入力するための情報入力手段と、乗りかご内状況を撮影するカメラと、をエレベータの乗りかご内に備えて、乗りかご内の乗客が情報選択手段に対して選択操作するのに伴って、又は乗客が情報入力手段に対して入力操作するのに伴って、情報表示手段が情報選択する乗客を含む乗りかご内の映像を所定時間表示することを特徴としており、これにより、乗客の意思に応えて情報表示手段の表示内容を切替えることを可能にするとともに、情報選択手段や情報表示手段や情報入力手段が乗客からイタズラを受けることを抑止することができる。
【００３６】
また、エレベータの乗りかご内に乗客に情報を表示する情報表示手段と、複数の情報の中から表示する情報を乗客が選択するための情報選択手段と、情報入力者が情報表示手段に情報を入力するための情報入力手段と、特定乗客を認証する認証装置と、を設置し、乗りかご内の映像を所定時間表示することを特徴としており、これにより、イタズラの抑止効果に加えて、エレベータの設置されている建物の関係者以外の不特定乗客から情報を入力されることを防げるとともに、前記情報表示手段をエレベータの乗客や建物管理者などの共有掲示板としても利用可能となる。
【００３７】
また、前記情報選択手段をタッチパネルにより構成したことにより、前記情報選択手段の表面に突起物が無いので、混雑時も乗客の安全が図れるとともに、故障率が低く保守作業量の少ない情報選択手段を提供することができる。さらに、前記情報表示手段と前記情報選択手段と前記情報入力手段とを乗りかご内の同一の側板に設けたことにより、イタズラ抑止の一層の効果に加えて、表示する情報の選択操作や入力操作が楽な姿勢で容易に実行できる。
【符号の説明】
【００３８】
１  乗りかご
２  側板
３  情報表示手段
４  情報選択手段
５  カメラ
６  エレベータ制御装置
７  情報記憶手段
８  情報制御手段
９  認証装置
１０  情報入力手段
１０Ａ  入力可表示灯
１０Ｂ  手書き入力部
１１  履歴記録装置
１２  タッチパネル
１３  かご天井
１４  入力操作終了アイコン
１５  個人認証データ
１６  個人履歴データ
１７  表示データ
２０  エレベータ
【図１】
0005530821.tif 000002
【図２】
0005530821.tif 000003
【図３】
0005530821.tif 000004
【図４】
0005530821.tif 000005
【図５】
0005530821.tif 000006
【図６】
0005530821.tif 000007